(57)【要約】【課題】トレイカバーの本来的機能に加えて、人間の操作や心理にかかわるサポート機能を利用者に供する。【解決手段】ディスクを載置するトレイ（２０）が、駆動手段により装置本体（１０）の前面開口（１１）から引き出し・挿入されるディスク装置（１）に設けた、トレイ（２０）の引き出し・挿入に連動して前面開口（１１）を開閉するトレイカバー（３０）である。トレイカバー（３０）は、トレイ（２０）が装置本体（１０）内部にあるとき前面開口（１１）を閉鎖する閉鎖面（３１）と、トレイ（２０）が装置本体（１０）外部にあるとき前面開口（１１）の一部に残って前面に向く開放面（３２）とを備える。そして、トレイカバー（３０）の開放面（３２）に、ガイド情報を表示するガイド情報表示部（３３）を設けた。また、トレイカバー（３０）の開放面（３２）に、一端が装置本体（１０）内部に設けた光源に連なる導光部材（３５）の他端を配置した。【選択図】図４
2005293806.tif 000002
【特許請求の範囲】
【請求項１】
ディスクまたはディスク内包カートリッジを載置するトレイ部材が、駆動手段により装置本体の前面開口から引き出し・挿入されるディスク装置において、
前記装置本体に、前記駆動手段による前記トレイ部材の引き出し・挿入に連動して前記前面開口を開閉するカバー部材を設け、
前記カバー部材は、前記トレイ部材が前記装置本体内部にあるとき前記前面開口を閉鎖する閉鎖面と、前記トレイ部材が前記装置本体外部にあるとき前記前面開口の一部に残って前面に向く開放面とを備え、
前記カバー部材の前記開放面に、ガイド情報を表示するガイド情報表示部を設けたことを特徴とするディスク装置のトレイカバー。
【請求項２】
ディスクまたはディスク内包カートリッジを載置するトレイ部材が、駆動手段により装置本体の前面開口から引き出し・挿入されるディスク装置において、
前記装置本体に、前記駆動手段による前記トレイ部材の引き出し・挿入に連動して前記前面開口を開閉するカバー部材を設け、
前記カバー部材は、前記トレイ部材が前記装置本体内部にあるとき前記前面開口を閉鎖する閉鎖面と、前記トレイ部材が前記装置本体外部にあるとき前記前面開口の一部に残って前面に向く開放面とを備え、
前記カバー部材の前記開放面に、一端が前記装置本体内部に設けた光源に連なる導光部材の他端を配置したことを特徴とするディスク装置のトレイカバー。
【発明の詳細な説明】
【技術分野】
【０００１】
本発明は、ディスク装置において、ディスクを載置するトレイの引き出し・挿入用の前面開口を開閉するトレイカバーに関するものである。
【背景技術】
【０００２】
従来から、各種のディスク装置においてトレイ用の開口を開閉する機構にはさまざまな形態のものがある。そのうち、例えば家庭用の据置き型ＡＶ機器などのディスク装置では、以下のように、２種類の方式に限定される。
【０００３】
すなわち、図５（ａ）に示すように、ディスク装置１０１の外装を兼ねてトレイ１２０に固定される固定式のトレイカバー１３０と、図５（ｂ）に示すように、トレイ２２０の引き出し時にトレイ２２０によってディスク装置２０１から押し出される回動式のトレイカバー２３０である。
【発明の開示】
【発明が解決しようとする課題】
【０００４】
しかしながら、上記のような従来のトレイカバー１３０，２３０は、トレイカバーの本来的機能、すなわち、トレイ１２０，２２０がディスク装置１０１，２０１内部にあるときトレイ用の開口１１１，２１１を閉鎖する機能と、トレイ１２０，２２０がディスク装置１０１，２０１外部にあるときトレイ用の開口１１１，２１１を開放する機能しか備えていない。
【０００５】
そのため、例えば、利用者がディスク装置１０１，２０１を使用するうえでの扱い易さ、気を付ける安心感などの、主として人間の操作や心理にかかわるサポート機能については、全く考慮されていないという問題があった。
【０００６】
そこで、本発明が解決しようとする課題は、トレイカバーの本来的機能に加えて、人間の操作や心理にかかわるサポート機能を利用者に供することのできるディスク装置のトレイカバーを提供することにある。
【課題を解決するための手段】
【０００７】
本発明は上記課題を解決するものであって、請求項１に係る発明は、ディスクまたはディスク内包カートリッジを載置するトレイ部材が、駆動手段により装置本体の前面開口から引き出し・挿入されるディスク装置において、前記装置本体に、前記駆動手段による前記トレイ部材の引き出し・挿入に連動して前記前面開口を開閉するカバー部材を設け、前記カバー部材は、前記トレイ部材が前記装置本体内部にあるとき前記前面開口を閉鎖する閉鎖面と、前記トレイ部材が前記装置本体外部にあるとき前記前面開口の一部に残って前面に向く開放面とを備え、前記カバー部材の前記開放面に、ガイド情報を表示するガイド情報表示部を設けたディスク装置のトレイカバーである。
【０００８】
請求項２に係る発明は、ディスクまたはディスク内包カートリッジを載置するトレイ部材が、駆動手段により装置本体の前面開口から引き出し・挿入されるディスク装置において、前記装置本体に、前記駆動手段による前記トレイ部材の引き出し・挿入に連動して前記前面開口を開閉するカバー部材を設け、前記カバー部材は、前記トレイ部材が前記装置本体内部にあるとき前記前面開口を閉鎖する閉鎖面と、前記トレイ部材が前記装置本体外部にあるとき前記前面開口の一部に残って前面に向く開放面とを備え、前記カバー部材の前記開放面に、一端が前記装置本体内部に設けた光源に連なる導光部材の他端を配置したディスク装置のトレイカバーである。
【発明の効果】
【０００９】
本発明は以上のように、ディスクまたはディスク内包カートリッジを載置するトレイ部材が、駆動手段により装置本体の前面開口から引き出し・挿入されるディスク装置において、装置本体に、駆動手段によるトレイ部材の引き出し・挿入に連動して前面開口を開閉するカバー部材を設け、このカバー部材は、トレイ部材が装置本体内部にあるとき前面開口を閉鎖する閉鎖面と、トレイ部材が装置本体外部にあるとき前面開口の一部に残って前面に向く開放面とを備え、カバー部材の開放面に、ガイド情報を表示するガイド情報表示部を設けた構成としたので、トレイ部材が装置本体外部にあるとき前面開口において前面に向くカバー部材の開放面に、例えば、トレイ部材に載置するディスクまたはディスク内包カートリッジの取り扱いについてのガイド情報を表示することができ、それにより、トレイカバーの本来的機能に加えて、人間の操作や心理にかかわるサポート機能を利用者に供することができる効果がある。
【００１０】
また、本発明は、ディスクまたはディスク内包カートリッジを載置するトレイ部材が、駆動手段により装置本体の前面開口から引き出し・挿入されるディスク装置において、装置本体に、駆動手段によるトレイ部材の引き出し・挿入に連動して前面開口を開閉するカバー部材を設け、このカバー部材は、トレイ部材が装置本体内部にあるとき前面開口を閉鎖する閉鎖面と、トレイ部材が装置本体外部にあるとき前面開口の一部に残って前面に向く開放面とを備え、カバー部材の開放面に、一端が装置本体内部に設けた光源に連なる導光部材の他端を配置した構成としたので、トレイ部材が装置本体外部にあるとき前面開口において前面に向くカバー部材の開放面から、導光部材３５による照明が手元を明るく照らすことができ、それにより、トレイカバーの本来的機能に加えて、人間の操作や心理にかかわるサポート機能を利用者に供することができる効果がある。
【発明を実施するための最良の形態】
【００１１】
以下、本発明の実施の形態を、図面を参照して説明する。
【００１２】
図１は、本発明によるトレイカバーを備えたディスク装置の一実施形態を示すトレイ格納状態の要部の斜視図、図２は、トレイ引き出し状態の斜視図である。
【００１３】
このディスク装置１は、装置本体１０の前面にトレイ２０の引き出し・挿入用の前面開口１１を備え、図示しないディスクまたはディスク内包カートリッジを載置するトレイ２０が、図示しない駆動手段により、前面開口１１を通って装置本体１０から引き出され、また、前面開口１１を通って装置本体１０に挿入されるものである。
【００１４】
駆動手段は図示してないが、モータとギアを介してトレイ２０の引き出し・挿入動作を行わせるものである。また、このモータによりトレイ２０の移動モードに連動して、適宜のギアを介してトレイ２０の移動方向と平行に移動するスライドカム１２を装置本体１０に設けてある。
【００１５】
装置本体１０の天板１３には、トレイ２０の移動方向に沿って所定ストロークだけ移動可能なスライド板１４が、スプリング１５によって装置前方へ付勢して取り付けられている。このスライド板１４は、天板１３に枢着された連結レバー１６の一端が係合し、連結レバー１６の他端がスライドカム１２に係合することで、スライドカム１２の移動に連動して移動するようになっている。
【００１６】
スライド板１４の手前には、装置本体１０の前面開口１１を開閉するトレイカバー３０が、支軸１７のまわりに回動可能に、かつ、コイルスプリング１８によって前面開口１１を閉鎖する方向に付勢して取り付けられている。また、装置本体１０の前面には、前面開口１１の左右両側（片側でも可能）に、トレイカバー３０による前面開口１１の開閉動作時にトレイカバー３０の移動軌跡をガイドするガイド部材１９（図３参照）を設けてある。
【００１７】
そのため、トレイ２０が格納状態にあるときは、図１に示すように、スライド板１４が前端位置にあり、トレイカバー３０は前面開口１１を閉鎖する位置にあって、前面開口１１は閉鎖している（図３（ａ），図４（ａ）参照）。
【００１８】
この状態から、図示しないモータによりトレイ２０の移動（イジェクト）モードが開始すると、トレイ２０の引き出しに先立ってスライドカム１２が前方へ移動し、連結レバー１６を図１の矢印方向に揺動させ、スライド板１４を後方へスライドさせる。
【００１９】
スライド板１４の後方スライドにともない、トレイカバー３０が、ガイド部材１９によってまず支軸１７のまわりに上向きに回動する（図３（ｂ），（ｃ），図４（ｂ）参照）。
【００２０】
トレイカバー３０が、水平位置までほぼ９０度回動し終わると（図３（ｄ），図４（ｃ）参照）、続いて後方へスライドする（図４（ｄ）参照）。
【００２１】
そして、トレイカバー３０が、前面開口１１から前方への突出部分が実質的になくなった位置（開放位置）まで移動すると（図３（ｅ），図４（ｅ）参照）、図２に示すように、スライド板１４が後端位置に達することでスライド板１４とともにトレイカバー３０の移動が停止する。
【００２２】
この間、トレイカバー３０が水平位置までほぼ９０度回動し終わるタイミングで、トレイ２０が前面開口１１から前方へ引き出され、トレイカバー３０がスライドし終わった後、トレイ２０の引き出し動作が終了する。
【００２３】
トレイ２０の挿入動作は引き出し動作の逆であり、トレイ２０が前面開口１１から挿入され終わるまで、トレイカバー３０は前方へスライドするが揺動せず、トレイ２０が前面開口１１から挿入され終わるタイミングで、トレイカバー３０が、コイルスプリング１８によって支軸１７のまわりにガイド部材１９に沿って下向きに回動し、その後閉鎖位置まで回動して前面開口１１を閉鎖する。
【００２４】
このような開閉構造を有するトレイカバー３０は、図４に示すように、閉鎖位置にあるとき装置本体１０の前面と平行になって前面開口１１を閉鎖する閉鎖面３１と、開放位置にあるとき装置本体１０の前面と平行になって前面開口１１の一部をなす開放面３２とを備えている。
【００２５】
そして、トレイカバー３０の開放面３２には、例えば、トレイ２０に載置するディスクまたはディスク内包カートリッジの取り扱いについてのガイド情報を表示するガイド情報表示部３３を設けてある。
【００２６】
このガイド情報表示部３３に表示するガイド情報としては、例えば、「ディスクの取り扱いに気を付けてください。」、「トレイにはディスクまたはカートリッジ以外のものを載せないでください。」、他にもさまざまな情報が考えられる。
【００２７】
また、ガイド情報表示部３３は、これらのガイド情報を、ＬＣＤや有機ＥＬなど適宜のディスプレイパネルを用いて表示することが可能である。そのため、実際には、適宜のディスプレイパネルによってガイド情報表示部３３を構成することが好ましい。
【００２８】
また、ガイド情報表示部３３は、例えば、点字文字を用いてガイド情報を表示するなど、さまざまな障害をもった人々に対して有効なガイド情報伝達方法を採用することが可能である。
【００２９】
また、トレイカバー３０の開放面３２には、一端が装置本体１０内部に設けた図示しない光源に連なる導光部材３５の他端を複数個（例えば３個）配置してある。
【００３０】
そのため、光源から導光部材３５の一端に導入された光は、導光部材３５を通って他端に達し、導光部材３５の他端すなわちトレイカバー３０の開放面３２から前方を照らすことになる。
【００３１】
これにより、仮に夜間など比較的暗い室内で、ディスク装置１のトレイ２０にディスクまたはディスク内包カートリッジを載置する場合でも、導光部材３５による照明が手元を明るく照らすことで、利用者が扱い易く、操作性が向上する。
【００３２】
光源は、例えば、ＬＥＤを用いて構成することが可能であり、また、導光部材３５は、例えば、トレイカバー３０の閉鎖面３１の後端からその内部および開放面３２の内部に配置したライトガイドを用いて構成することが可能である。
【図面の簡単な説明】
【００３３】
【図１】本発明によるトレイカバーを備えたディスク装置の一実施形態を示すトレイ格納状態の要部の斜視図である。
【図２】図１のディスク装置のトレイ引き出し状態の斜視図である。
【図３】ガイド部材に沿って移動するトレイカバーの移動軌跡を示す説明図である。
【図４】トレイカバーが閉鎖位置から開放位置まで変位する様子を示す斜視説明図である。
【図５】従来のトレイカバーの例を示す概略的説明図である。
【符号の説明】
【００３４】
１  ディスク装置
１０  装置本体
１１  前面開口
１２  スライドカム
１３  天板
１４  スライド板
１５  スプリング
１６  連結レバー
１７  支軸
１８  コイルスプリング
１９  ガイド部材
２０  トレイ
３０  トレイカバー
３１  閉鎖面
３２  開放面
３３  ガイド情報表示部（ディスプレイパネル）
３５  導光部材（ライトガイド）
【図１】
2005293806.tif 000003
【図２】
2005293806.tif 000004
【図３】
2005293806.tif 000005
【図４】
2005293806.tif 000006
【図５】
2005293806.tif 000007